(57)【特許請求の範囲】
【請求項１】
本体が、前身頃と、後身頃と、前記前身頃と前記後身頃との間に位置するクロッチ部と、腰天に形成された開口部と、前記クロッチ部の両側に位置する一対の脚ぐり部とを有する外装体において、
前記本体の内側には、前記クロッチ部から前記後身頃に至る縦方向に弾性伸縮機能を発揮するサポート帯が設けられ、前記サポート帯は、その前端部および後端部が前記本体に接合され、中間部が、前記クロッチ部から前記後身頃の少なくとも一部にわたって前記本体に接合されることなく延びており、
身体に装着される吸収性物品を支える補助部材が、前記サポート帯に取付けられて、前記補助部材の身体に対向する側に、吸収性物品が設置される装着布の前端部と後端部とが取付けられていることを特徴とする外装体。
【請求項２】
本体が、前身頃と、後身頃と、前記前身頃と前記後身頃との間に位置するクロッチ部と、腰天に形成された開口部と、前記クロッチ部の両側に位置する一対の脚ぐり部とを有する外装体において、
前記本体のクロッチ部には、前記前身頃と前記後身頃に連続する股布と、前記股布の内側に重ねられてその前端部と後端部が前記本体に接合された装着布とが設けられて、前記装着布に吸収性物品が設置可能となっており、
前記本体の内側には、前記クロッチ部から前記後身頃に至る縦方向に弾性伸縮機能を発揮するサポート帯が設けられ、前記サポート帯は、その前端部および後端部が前記本体に接合され、中間部が、前記クロッチ部から前記後身頃の少なくとも一部にわたって前記本体に接合されることなく延び、且つ前記サポート帯の一部が、前記股布と前記装着布との間に位置しており、
身体に装着される吸収性物品を支える補助部材が、前記股布と前記装着布の間で前記サポート帯に取付けられていることを特徴とする外装体。
【請求項３】
前記補助部材には、前記身体と対向する側と逆の裏側に、前記サポート帯が縦方向へ挿通される挿通部が設けられている請求項１または２記載の外装体。
【請求項４】
前記補助部材は、前記サポート帯に沿って縦方向へ位置を移動できるように取付けられている請求項１ないし３のいずれかに記載の外装体。
【請求項５】
前記サポート帯は、その長さを調整自在である請求項１ないし４のいずれかに記載の外装体。
【請求項６】
前記サポート帯の前端部と後端部の少なくとも一方は、前記本体部に着脱自在に取付けられている請求項１ないし５のいずれかに記載の外装体。
【請求項７】
前記サポート帯の前端部と後端部との縦方向の長さ寸法は、前記前端部が取付けられている箇所と前記後端部が取付けられている箇所との間での前記本体の縦方向の長さ寸法よりも短い請求項１ないし６のいずれかに記載の外装体。
【請求項８】
前記サポート帯は、少なくとも前記後身頃に対向する部分において、その幅寸法が、前記後端部に向って徐々に小さくなる請求項１ないし７のいずれかに記載の外装体。
【請求項９】
前記補助部材と前記サポート帯の少なくとも一方には、前記補助部材と前記サポート帯とのずれを防止するずれ止め部が設けられている請求項１ないし８のいずれかに記載の外装体。
【請求項１０】
前記補助部材は、サポート帯の両側に突出する両側部を有しており、少なくとも前記両側部にクッション層が設けられている請求項１ないし９のいずれかに記載の外装体。
【発明の詳細な説明】
【０００１】
【発明の属する技術分野】
本発明は、生理用ナプキンなどの体液を吸収する吸収性物品の着用に適した外装体に係り、特に吸収性物品の性器への密着性を調整させることができるとともに、体液の漏れの防止効果を高めた外装体に関する。
【０００２】
【従来の技術】
生理中の女性は生理用ナプキンを、ショーツやガードルなどの外装体と性器との間に位置させて装着している。この際、装着された吸収性物品と性器との間に隙間が生じ、この隙間から経血が吸収性物品の外部に漏れることを防止するため、ショーツ本体の全体を弾性伸縮機能が大きい素材で構成した外装体が着用されている。そして、ショーツ本体が有する弾性伸縮力を利用して前記吸収性物品を性器に密着させ、吸収性物品と性器との間に隙間が生じることを防止して経血の漏れを防止している。
【０００３】
また、特開２００１−２７６１３０号公報には、ショーツ本体の内側に、前身頃から後身頃に向って延びるサポート帯が設けられた生理用ショーツが開示されている。この生理用ショーツは、前記サポート帯が弾性伸縮機能を発揮するものであり、このサポート帯に生理用ナプキンが取付けられるものとなっている。この生理用ショーツは、前記サポート帯の弾性力により、吸収性物品が性器に密着させられて、生理用ナプキンと性器との間の隙間を生じにくくして、経血の漏れを防止している。
【０００４】
【発明が解決しようとする課題】
しかし、ショーツ本体の全体が大きな弾性伸縮性を有する素材から形成されている場合には、着用者の下半身の広範囲を強く締め付けることとなるため、着用者に不快感を与えるとともに、血行不良による健康への悪影響も与える。
【０００５】
また、特開２００１−２７６１３０号公報に開示された生理用ショーツでは、サポート帯が股間部から位置ずれしたときに、生理用ナプキンがサポート帯と一緒に動いて、生理用ナプキンの両側部から経血が漏れる不安がある。また、生理用ナプキンが前記サポート帯に直接に取付けられるものであるため、前記サポート帯の加圧力を直接に体で感じることがあり、この場合、装着感触が悪くなりやすい。さらに、前記生理用ショーツでは、サポート帯の長さが予め決められているため、体型によっては、サポート帯から生理用ナプキンに与えられる弾圧力が強すぎて生理用ナプキンの圧迫感を生じたり、または前記弾性力が弱すぎて、生理用ナプキンの密着性が低下するおそれがある。
【０００６】
本発明は上記従来の課題を解決するものであり、サポート帯が位置ずれしたようなときでも吸収性物品の両側部からの経血の漏れを防止でき、また吸収性物品の装着感も良好になる外装体を提供することを目的としている。
【０００７】
【課題を解決するための手段】
本発明は、本体が、前身頃と、後身頃と、前記前身頃と前記後身頃との間に位置するクロッチ部と、腰天に形成された開口部と、前記クロッチ部の両側に位置する一対の脚ぐり部とを有する外装体において、
前記本体の内側には、前記クロッチ部から前記後身頃に至る縦方向に弾性伸縮機能を発揮するサポート帯が設けられ、前記サポート帯は、その前端部および後端部が前記本体に接合され、中間部が、前記クロッチ部から前記後身頃の少なくとも一部にわたって前記本体に接合されることなく延びており、
身体に装着される吸収性物品を支える補助部材が、前記サポート帯に取付けられて、前記補助部材の身体に対向する側に、吸収性物品が設置される装着布の前端部と後端部とが取付けられていることを特徴とするものである。
【０００８】
本発明では、サポート帯に補助部材が設けられて、生理用ナプキンなどの吸収性物品が前記補助部材に支えられるようになっている。サポート帯の弾圧力が前記保持部材を介して吸収性物品に作用することにより、吸収性物品が身体に加圧されるときの装着感を良好にできる。また補助部材の幅寸法を吸収性物品の幅方向よりも大きくすることで、吸収性物品の両側が前記補助部材で覆われるようになり、吸収性物品から経血が横漏れしても、外部へ浸出するのを防止できる。
【００１０】
また、前記補助部材の身体に対向する側に、吸収性物品が設置される装着布の前端部と後端部とが取付けられており、吸収性物品を補助部材に直接に取付けることができるため、補助部材と吸収性物品との位置ずれを防止でき、吸収性物品と補助部材とが常に一体となって動くようになって、補助部材による漏れ防止効果を常に発揮できる。
【００１１】
また、本発明は、本体が、前身頃と、後身頃と、前記前身頃と前記後身頃との間に位置するクロッチ部と、腰天に形成された開口部と、前記クロッチ部の両側に位置する一対の脚ぐり部とを有する外装体において、
前記本体のクロッチ部には、前記前身頃と前記後身頃に連続する股布と、前記股布の内側に重ねられてその前端部と後端部が前記本体に接合された装着布とが設けられて、前記装着布に吸収性物品が設置可能となっており、
前記本体の内側には、前記クロッチ部から前記後身頃に至る縦方向に弾性伸縮機能を発揮するサポート帯が設けられ、前記サポート帯は、その前端部および後端部が前記本体に接合され、中間部が、前記クロッチ部から前記後身頃の少なくとも一部にわたって前記本体に接合されることなく延び、且つ前記サポート帯の一部が、前記股布と前記装着布との間に位置しており、
身体に装着される吸収性物品を支える補助部材が、前記股布と前記装着布の間で前記サポート帯に取付けられていることを特徴とするものである。
【００１２】
この構造では、吸収性物品が、本体と一体の装着布に装着されているため、サポート帯が左右にずれたような場合であっても、吸収性物品は身体に装着された位置から位置ずれしにくくなる。
【００１３】
例えば、前記補助部材には、前記身体と対向する側と逆の裏側に、前記サポート帯が縦方向へ挿通される挿通部が設けられているものであり、好ましくは、前記補助部材は、前記サポート帯に沿って縦方向へ位置を移動できるように取付けられているものである。
【００１４】
補助部材を縦方向へ移動できるようにすると、就寝時などでは補助部材を後方へずれして後方への経血の漏れを防止することなどを自由に設定できる。
【００１５】
また、前記サポート帯は、その長さを調整自在であるものが好ましい。
サポート帯の長さを変えることにより、サポート帯の締め付け力を、体型に合わせて適度に調整することができる。
【００１６】
また、前記サポート帯の前端部と後端部の少なくとも一方が、前記本体部に着脱自在に取付けられているものとして構成できる。
【００１７】
サポート帯の前端部または後端部を本体から外すことにより、サポート帯への補助部材の取付けと取り外しを容易にできる。またサポート帯全体を本体から離脱させることで、サポート帯と本体とを別個に選択できるようになり、またサポート帯を取付けずに本体のみを身体に着用することも可能になる。
【００１８】
なお、前記サポート帯の前端部と後端部との縦方向の長さ寸法は、前記前端部が取付けられている箇所と前記後端部が取付けられている箇所との間での前記本体の縦方向の長さ寸法よりも短いことが好ましい。
【００１９】
さらに、前記サポート帯は、少なくとも前記後身頃に対向する部分において、その幅寸法が、前記後端部に向って徐々に小さくなる形状とすることができる。
【００２０】
このような形状にすると、補助部材および吸収性物品に対してはサポート帯の幅広い部分で支えることができ、またサポート帯の後方部分を臀部の溝に沿わせることができ、装着感触を良好にできる。
【００２１】
また、前記補助部材と前記サポート帯の少なくとも一方には、前記補助部材と前記サポート帯とのずれを防止するずれ止め部が設けられていることが好ましい。これにより補助部材が着用位置から不用意に動くのを防止できる。
【００２２】
さらに、前記補助部材は、サポート帯の両側に突出する両側部を有しており、少なくとも前記両側部にクッション層が設けられているものが好ましい。
【００２３】
この構造では、補助部材のクッション層を有する両側部が、身体に当たることにより吸収性物品からの横漏れを防止しやすく、また前記クッション層で漏れた経血を吸収させることも可能である。
【００２４】
【発明の実施の形態】
図１は本発明の第１の実施の形態の生理用ショーツ１の本体１０を前身頃と後身頃とが接するように２つ折りした状態で示す正面図、図２は同じく２つ折りした状態を示す背面図、図３は前記生理用ショーツを身体に装着した立体形状となったものを前身頃側から示す斜視図、図４は同じく立体形状を後身頃側から示す斜視図、図５は生理用ショーツのクロッチ部から後身頃を内側から示す部分斜視図、図６は補助部材を示す斜視図、図７は図６のＶＩＩ−ＶＩＩ線の断面図、図８は補助部材を本体１０の内側に設けられたサポート帯に取り付ける状態を補助部材の裏面側から示す斜視図、図９は補助部材を本体１０に取り付けた状態のショーツの内側を示した展開平面図、図１０は身体に装着した状態のショーツ本体、補助部材および生理用ナプキンの変形状態を示す断面図である。
【００２５】
以下の実施の形態では、吸収性物品の一例として、生理中の女性が股間部に当てて、経血を吸収させる生理用ナプキンについて説明する。また、外装体の一例として、前記生理用ナプキンの着用に適した生理用ショーツで、股下部に開口する脚ぐり部が身体の大腿部に位置するトランクス形状またはスパッツ形状の本体を備えたものとして説明する。ただし、本発明の体液吸収性物品は、尿失禁患者が使用する尿取りパッドなどであってもよい。また外装体の本体は、股下部が膝の部分または足首の部分まで延びたもの、さらに、前記股下部がレッグ部とこれに連続するフート部を有するパンティストッキング、またはタイツの形態とされたものを含む。また、本発明の外装体は、クロッチ部の両側に開口する脚ぐり部が大腿部の上方に位置して図３に示す股下丈Ｈがほとんどゼロとなるいわゆるパンティタイプあるいはショーツタイプまたはハイレッグタイプのものであってもよい。
【００２６】
また、本発明では、前記生理用ショーツなどの外装体の本体に補助部材が着脱自在に取り付けられるが、前記本体に補助部材が取り付けられた状態で包装体に収納されて流通するもの、または本体と補助部材が同じ包装体に収納されて流通するもの、本体と補助部材が別々の包装体に収納されてセットとして流通するものであってもよい。あるいは、補助部材のみが本体とは別個の商品として単独で流通するものであってもよい。この場合、補助部材は主に取り替え用として使用される。
【００２７】
図１と図２に示すように、本体１０は、２枚の腰当て布１１と１２が、前身頃１３において上下方向に延びる縫合線１５ａで縫合され、後身頃１４において縫合線１５ｂにより縫合されている。前記腰当て布１１と１２は、弾性伸縮性を有している。例えば、弾性伸縮性を有するポリウレタン繊維の糸と、肌にやさしい繊維であるナイロン繊維の糸とで形成された織布であり、例えばトリコットハーフ編みされた織布である。
【００２８】
前記前身頃１３と後身頃１４の上部が、腰天１６であり、この腰天１６に位置するウエスト開口部にウエストバンド１７が設けられている。このウエストバンド１７は、ポリウレタン繊維で形成された伸縮性織布、合成ゴムシート、天然ゴムシートなどで形成されている。
【００２９】
生理用ショーツの前記本体１０のクロッチ部１８には、股布１９が取付けられている。この股布１９は、前記腰当て布１１，１２と同様に、ポリウレタン繊維とナイロン繊維で編まれた弾性伸縮自在な伸縮布により形成されている。図５に示すように、前記股布１９の両側部は折り返され、股布１９の折り返し部１９ａ，１９ａが縫合線２０において縫合されている。
【００３０】
前記股布１９の前縁は、前記前身頃１３を形成する腰当て布１１，１２に対して前方縫合部２３において縫合されている。同様に、前記股布１９の後縁は、前記後身頃１４を形成する腰当て布１１，１２に対して後方縫合部２４において縫合されている。
【００３１】
このように、股布１９は、前記前身頃１３と後身頃１４と連続して形成され、前記股布１９の両側に、着用時に大腿部まわりに密着する脚ぐり部２５，２５が開口している。図５に示すように、前記脚ぐり部２５の周縁部では、前記腰当て布１１の縁部が折り返されて所定幅の折り返し部１１ａが形成され、また前記腰当て布１２の縁部が折り返されて所定幅の折り返し部１２ａが形成されている。この折り返し部１１ａ，１２ａは、縫合線２６ａ，２６ｂにより縫合されている。
【００３２】
前記生理用ショーツの本体１０では、前記腰当て布１１，１２が伸縮性を有する布により形成されているため、前記折り返し部１１ａ，１２ａの部分が脚ぐり部２５，２５回りのレッグバンドとなっている。股布１９の両側部も脚ぐり部２５，２５に現れているため、この股布１９の両側部の折り返し部１９ａ，１９ａもレッグバンドの一部として機能している。
【００３３】
この本体１０では、前記のように腰当て布１１，１２および股布１９を折り返すことによりレッグバンドが形成されているが、このレッグバンドを前記腰当て布１１，１２および股布１９と独立した弾性バンドで形成し、この弾性バンドを脚ぐり部２５，２５の周囲に取付けてもよい。
【００３４】
前記本体１０の内側には、前記クロッチ部１８の前方部に位置する前記前方縫合部２３を始端とし、前記後身頃に位置する前記ウエストバンド１７の下縁部に向って伸びるサポート帯２９が設けられている。
【００３５】
前記サポート帯２９は、前端部２９ａが、前記前方縫合部２３において、前記腰当て布１１，１２および前記股布１９とともに縫合されて前接合部を形成しており、自由に着脱できない。前記サポート帯２９の後端部２９ｂにはループ３０が形成されている。このループ３０は前記サポート帯の後端部２９ｂを裏側（前記後身頃１４側）に折り返した後、折り返し端部２９ｃを縫合などで接合して形成される。このループ３０の内径部にフック２８が取り付けられる。このフック２８には鉤状の挿入腕２８ａが形成されている。
【００３６】
前記ウエストバンド１７の下縁には、前記後身頃１４の前記縫合線１５ｂの位置において、前記サポート帯２９と同じ素材から形成された布片を２枚折りすることによって、ループ３１が接合線３１ａで縫合されて設けられている。
【００３７】
前記サポート帯２９の後端部２９ｂに取付けられた前記フック２８の前記挿入腕２８ａが、前記ループ３１の内径部に挿入されることによってサポート帯２９の後端部２９ｂが本体１０に取付けられている。また、前記挿入腕２８ａを前記ループ３１から抜き取ることにより、前記後端部２９ｂを本体１０から離脱させることが可能である。この実施の形態では、前記フック２８と前記ループ３１とによって、サポート帯２９の後端部を本体１０に接合させるための後接合部が形成されている。
【００３８】
なお、前記サポート帯２９の後端部２９ｂを本体１０に接合する後接合部は、面ファスナやボタンなどによって着脱可能に構成されていてもよい。
【００３９】
前記サポート帯２９は、前記前端部２９ａと前記後端部２９ｂ以外の部分である中間部２９ｄが、前記本体１０に接合されておらず、サポート帯２９は、前記クロッチ部１８の内側および後身頃１４の内側において、自由に動けるようになっている。
【００４０】
前記サポート帯２９は、前記前端部２９ａから前記後端部２９ｂに向けて幅寸法が徐々に小さくなるテーパー形状である。前記サポート帯２９の幅寸法は、前記前端部２９ａで８０ｍｍ以下であることが好ましく、下限は３０ｍｍが好ましい。また前記後端部２９ｂでの幅寸法は５ｍｍ以上であることが好ましく、上限は３０ｍｍ以下が好ましい。この範囲内とすると、クロッチ部１８において前記サポート帯２９に図６に示す補助部材４０および生理用ナプキンを取り付けた際に、取付け状態を安定させることができる。また、後身頃１４に延びる前記サポート帯２９を臀部の溝内に密着させやすくなって、身体の動きによって前記サポート帯２９が横方向へ位置ずれしにくくなる。
【００４１】
また、前記サポート帯２９に、縦方向に向けて一定の間隔で目盛りなどの目印を付しておくと、前記サポート帯２９に取り付けられる補助部材４０の取付け位置を確認しやすくなり、また補助部材４０を例えば後方へずらして取り付けるようなときにも、その取付け位置を確認しやすくなる。
【００４２】
前記サポート帯２９は、縦方向（図５におけるＹ方向）に弾性伸縮力を有している。また、前記サポート帯２９を伸長させていない状態において、前記前端部２９ａから前記ループ３１の接合線３１ａまでの長さ寸法は、前記前端部２９ａの接合部と前記接合線３１ａとの間での本体１０の長さ寸法よりも短く形成されている。したがって、前記サポート帯２９を本体１０に取り付けた状態でショーツを着用したときに、前記サポート帯２９は縦方向に伸ばされた状態で身体に当たるようになり、前記サポート帯２９が身体に対して弾性力を有して圧着される。前記サポート帯２９は、ポリウレタン繊維で形成された伸縮性織布、または伸縮性不織布、合成ゴムシート、または天然ゴムシートなどで形成されている。
【００４３】
この生理用ショーツ１は、本体１０の内側に補助部材４０を取り付けて使用することができる。図６は補助部材４０を表側から示しているが、前記補助部材４０は、前後方向に延びる中央線Ｏ−Ｏに対して左右対称形状である。前記補助部材４０は、中間部４１と、左右の両側部４２，４２を有している。前記両側部４２，４２には、前記中間部４１よりも前方へ延びる前方突部４２ａ，４２ａと、前記中間部４１よりも後方へ延びる後方突部４２ｂ，４２ｂが一体に形成されている。
【００４４】
図６では、前記中間部４１の幅寸法をＷ２で示し、補助部材４０全体を前後方向に二分する中心部における、前記補助部材４０の右側縁４０ａと左側縁４０ｂとの間の幅寸法をＷ１で示している。また、前記中心線Ｏ−Ｏでの中間部４１の前後方向の長さ寸法をＬ２で示し、補助部材４０の前後方向の全長寸法、すなわち前方突部４２ａの先端と後方突部４２ｂの先端との寸法をＬ１で示している。
【００４５】
図７は図６のＶＩＩ−ＶＩＩ線の断面図であるが、図７に示すように、前記補助部材４０は、身体側に向けられる表面シート４５と、本体１０の股布１９に向けられる裏面シート４６と、前記両側部４２，４２において、前記表面シート４５と前記裏面シート４６との間に挟まれたクッション層４７，４７を有している。前記表面シート４５および前記裏面シート４６と、前記クッション層４７，４７はホットメルト型の接着剤により接着されており、前記クッション層４７，４７が設けられていない領域において、前記表面シート４５と前記裏面シート４６はホットメルト型接着剤により接着されている。あるいは前記表面シート４５と裏面シート４６とが縫合されていてもよい。
【００４６】
図６と図７に示す実施の形態では、中央部分において前記クッション層４７，４７が設けられておらず、この部分が肉薄部５２となっている。また、前記クッション層４７と４７の対向側の縁部４７ａと４７ａとの対向間隔、すなわち前記肉薄部５２の幅寸法Ｗ３は、前記中間部４１の幅寸法Ｗ２よりも小さくなっている。
【００４７】
図６および図７に示すように、前記表面シート４５の上面（図７におけるＹ１側の面）には、生理用ナプキンを装着するための装着布４８が設けられている。前記装着布４８は、前縁４８ａおよび後縁４８ｂが、中間部４１の前端と後端において、ぞれぞれ前記表面シート４５に縫合などの手段により接合されている。
【００４８】
一方、前記装着布４８の幅寸法は前記中間部４１の幅寸法Ｗ１よりも小さく、且つ前記肉薄部５２の幅寸法Ｗ３よりも大きく形成されている。
【００４９】
装着布４８の、両側縁４８ｃ，４８ｄは、共に前記表面シート４５には接合されていない。前記装着布４８の前縁４８ａと後縁４８ｂとの長さ寸法は、前記中間部４１の前端と後端との間の長さ寸法Ｌ２よりもわずかに長くなっており、前記前縁４８ａと後縁４８ｂ以外の中間部分においては、前記装着布４８と前記表面シート４５との間に隙間が形成できるようになっている。
【００５０】
前記裏面シート４６の下面には、布４９が設けられている。前記布４９は、両側縁部４９ｃ，４９ｃが、前記裏面シート４６に、接着剤を用いた接着または縫合により接合されており、前縁４９ａおよび後縁４９ｂが前記裏面シート４６に接合されていない。そして、前記布４９と前記裏面シート４６との間に、前記前縁４９ａから前記後縁４９ｂに向って貫通する挿通部５０が形成される。
【００５１】
前記布４９の上面には、多数のずれ止め部５１が設けられている。このずれ止め部５１は縦方向に間隔を開けて列を成し、これが２列配列している。ずれ止め部５１は、前記布４９の上面にゴム、または合成樹脂をドット状に付着させて形成したものである。１つのずれ止め部５１は直径が２ｍｍ程度の円形である。
【００５２】
または、前記ずれ止め部が、前後方向に延びる帯状に形成され、この帯状のずれ止め部が１本または複数本設けられているもの、あるいは前記ずれ止め部が格子状パターンで形成されているものであってもよい。
【００５３】
また、前記ずれ止め部が、補助部材４０の裏面シート４６の外面に設けられていてもよい。
【００５４】
前記表面シート４５は親水性であり、好ましくはこの表面シート４５が液吸収機能を有している。この液吸収機能を有する表面シート４５は、例えばコットン繊維のスパンレース不織布などで形成される。あるいは吸水機能を有する織布で形成されていてもよい。
【００５５】
前記裏面シート４６は液不透過性であり液遮断機能を有している。前記裏面シート４６が液不透過性であると、生理用ナプキンから漏れた経血が補助部材４０に与えられたときに、経血を前記裏面シート４６で遮断することができ、経血で前記本体１０を汚すのを防止できる。
【００５６】
ただし、前記クッション層４７，４７が、例えばセル（気泡構造の最小単位）が小さいポリウレタンフォームのように、液を透過させ難いもので構成されている場合は、前記裏面シート４６が液遮断機能を有していなくてもよい。
【００５７】
また前記裏面シート４６は、着用者にむれによる不快感を与えないため、透湿機能を有していることが好ましい。ここで「透湿機能」とは、水蒸気を透過させる機能のことを意味する。このような、前記裏面シート４６は、無機フィラーを含んだ状態で延伸処理されて通気性が付与された樹脂フィルム、撥水処理されたスパンボンド不織布またはスパンレースなどの不織布、あるいは不織布の裏面に通気性の樹脂フィルムが接合されたものなどが使用される。または、不織布や織布の裏側に接着剤を介して液不透過性のフィルムを積層したものなども使用できる。
【００５８】
前記クッション層４７，４７は弾性を有する材料によって構成されることが好ましい。前記クッション層４７，４７を弾性を有するもので構成すると、身体の動きによる外力が与えられたときに、補助部材４０の両側部４２，４２が身体の内股部に密着した状態で前記身体の動きに追従しやすい。
【００５９】
前記クッション層４７，４７は、厚さ１ｍｍ程度のポリウレタンフォームやポリエチレンフォーム、ラバーフォームなどで形成される。または、エアースルー法やニードルパンチ法で製造された嵩高の不織布を使用することができる。
【００６０】
例えば前記エアースルー法で不織布を製造する場合は、鞘部がポリエチレンで、芯部がポリプロピレンあるいはポリエステルの芯鞘構造の複合合成繊維、または、ポリエチレンと、ポリプロピレンあるいはポリエステルのサイドバイサイド型の複合合成繊維で繊度が４〜１１ｄｔｅｘのものを目付けを１００〜３００ｇ／ｍ2に調整した後、熱風処理して繊維を融着させる。
【００６１】
また、ニードルパンチ法で不織布を製造する場合は、前記複合繊維、またはポリエチレン、ポリプロピレンあるいはポリエステルなどの単繊維、またはこれらとレーヨンなどで目付けが１００〜３００ｇ／ｍ2の繊維ウエッブを形成した後に、ニードルパンチで繊維を交絡させる。
【００６２】
あるいは前記クッション層４７，４７が、前記発泡材料や前記不織布を組合せたものであってもよいし、通常の樹脂フィルムや弾性が小さい不織布と、前記発泡材料や弾性を有する前記不織布とを積層させたものであってもよい。
【００６３】
なお、前記クッション層４７，４７がレーヨンなどの親水性繊維を含むものである場合には、クッション層４７，４７が液吸収機能を発揮できる。また、クッション層４７，４７として、コットンやレーヨンなどの親水性繊維の層を用いることによっても液吸収機能を発揮できる。このような場合、表面シート４５に与えられた経血がクッション層４７，４７で吸収されるようになる。
【００６４】
前記表面シート４５、裏面シート４６を織布で形成し、さらにクッション層４７，４７をポリウレタンフォームなどで形成したものは、経血で汚されたときに、洗濯をすることにより再利用が可能である。また、前記表面シート４５や前記裏面シート４６を不織布や樹脂フィルムなどで形成し、クッション層４７，４７を発泡材料や不織布で形成した補助部材４０は安価で構成できるため、補助部材４０が経血で汚れたときに廃棄して、新たな補助部材４０に交換して使用することが可能である。
【００６５】
図６と図７に示す形状の補助部材４０を用いる場合、前記中間部４１の幅寸法Ｗ２は５０〜８０ｍｍの範囲であることが好ましい。前記幅寸法Ｗ２を前記範囲内にしておくと、生理用ナプキンを安定した状態で配置させることができる。また、前記クッション層４７，４７の対向側の縁部４７ａと４７ａとの間隔、すなわち前記肉薄部５２の幅寸法Ｗ３は前記中間部４１の幅寸法Ｗ２よりも短いことが好ましく、例えばＷ３は３０〜６０ｍｍの範囲である。前記範囲内であると、生理用ナプキンが前記補助部材４０の上に装着されたときに、生理用ナプキンとクッション層４７，４７との間に重なり領域を設けることができ、前記クッション層４７，４７によって生理用ナプキンを股間部に押し付けることができる。
【００６６】
前記補助部材４０の前後を二分する中心部での幅寸法Ｗ１は１００〜２８０ｍｍの範囲であることが好ましい。前記幅寸法Ｗ１が１００ｍｍ未満であると、図１０に示す装着状態において前記両側部４２，４２が身体の内股部に密着できず、補助部材４０の両側部４２，４２による横漏れ防止機能を充分に発揮できない。前記幅寸法Ｗ１が２８０ｍｍよりも大きいと、補助部材４０の両側部４２，４２が着用者の内股部に密着する面積が大きくなりすぎて、着用者にむれや違和感を与えやすい。
【００６７】
また、補助部材４０の幅寸法Ｗ１は、本体１０の股布１９の幅寸法以下であることが好ましい。Ｗ１を股布１９の幅寸法以下とすることにより、着用時に補助部材４０が本体１０からはみ出るのを防止できる。また、補助部材４０の両側縁部４０ａ，４０ｂは、前記脚ぐり部２５，２５からはみ出さないように、凹曲線形状であることが好ましい。
【００６８】
また、前記両側部４２，４２の幅寸法Ｗ４は２５〜１００ｍｍの範囲が好ましい。前記幅寸法Ｗ４が２５ｍｍ未満であると、図１０に示す着用状態において、前記両側部４２，４２が着用者の内股部に密着する面積が小さくなりすぎて経血の漏れを防止する機能が低下する。また、前記幅寸法Ｗ４が１００ｍｍよりも大きいと、前記両側部４２，４２が着用者の内股部に密着する面積が大きくなりすぎて、着用者にむれや違和感を与えやすくなる。
【００６９】
前記補助部材４０の中間部４１の前後方向の長さ寸法Ｌ２を９０〜２００ｍｍの範囲とすると、生理用ナプキンを安定して配置することができる。また、前記補助部材４０の前後方向の全長寸法Ｌ１は１００〜３００ｍｍの範囲であることが好ましい。
【００７０】
図８および図９に示すように、前記サポート帯２９が、前記補助部材４０の前記挿通部５０に挿通された状態で、補助部材４０がサポート帯２９に取付けられる。すなわち、図９に示すように、前記サポート帯２９の後端部２９ｂが前記挿通部５０に挿通された後に、前記フック２８の挿入腕２８ａを前記ウエストバンド１７の下縁に設けられた前記ループ３１に掛止させることにより、前記補助部材４０が取付けられる。
【００７１】
前記サポート帯２９は、前端部２９ａと後端部２９ｂとの間の中間部が、本体１０に接合されておらずに自由状態であるため、補助部材４０をサポート帯２９に沿って前後に移動させることができ、本体１０内において補助部材４０の取付け位置を任意に調整することが可能である。
【００７２】
また、補助部材４０の取付け位置が決められた後は、補助部材４０の前記布４９の上面に設けられた前記ずれ止め部５１が、前記サポート帯２９の下面に接触するため、取付けられた前記補助部材４０が不用意に前後に位置ずれするのを防止できる。
【００７３】
図３と図４は、前記生理用ショーツ１が身体へ装着された状態の立体形状を示している。ここでの立体形状とは、女性の標準体型のマネキン人形に生理用ショーツ１を着用させた状態をいう。ここでの前記標準体型とは、ウエスト回りが６６ｃｍ、ヒップ回り９４ｃｍである。また股間部直下の大腿部回りの寸法は５６．５ｃｍである。
【００７４】
図３と図４に示すように、この生理用ショーツ１が身体に装着されたとき、股布１９の中央部が、身体の股間部側へ持ち上げられるため、脚ぐり部２５，２５は身体の股間部よりもやや下で大腿部回りに装着される。すなわち、装着時の股布１９の中央部から腰天１６までの股上丈をＬＡ、脚ぐり部２５の内股側の縁から腰天１６までの身丈をＬＢとしたときに、ＬＢがＬＡよりも大きく、前記股上丈ＬＡの１００に対して、身丈ＬＢが１１０〜２００の寸法比となっている。例えば、前記股上丈ＬＡは２００ｍｍ〜３００ｍｍ程度である。よって身丈ＬＢは、２２０〜６００ｍｍ程度である。
【００７５】
図３に示すように、前記身丈ＬＢと股上丈ＬＡとの差が股下丈Ｈである。前記本体１０はトランクス形状であり、一対の脚ぐり部２５，２５が身体の股間部よりも下方において大腿部周りに位置している。前記股間部より下方に延びる縦方向の長さがＨの部分が一対の股下部２７，２７となっており、この股下部２７，２７の下に前記脚ぐり部２５，２５が開口している形状である。
【００７６】
前記本体１０をトランクス形状とし、あるいはスパッツ形状とするには、前記股下部２７，２７の縦方向の長さ、すなわち前記股下丈Ｈが、最低でも３０ｍｍ以上必要であり、好ましくは４０ｍｍ以上である。その上限は、前記ＬＡに対してＬＢが２倍の場合、３００ｍｍ程度である。
【００７７】
このように、前記股下丈Ｈを大きくして前記股下部２７，２７を形成するためには、身体の股間幅に対し、股布１９の幅寸法Ｗａが十分に大きいことが必要である。
【００７８】
図１０は、前記補助部材４０および生理用ナプキン７０が取り付けられた前記生理用ショーツ１を着用した状態を示している。図１０では人体の大腿部を６１で示し、股間部を６２で示し、会陰部を６３で示している。
【００７９】
ここで、前記生理用ナプキン７０は、通気性樹脂フィルムなどの液不透過性シートで形成された裏面シート７４の上に液吸収層７５が設けられ、その表面に液透過孔を有する樹脂フィルムや親水性の不織布などの液透過性シートで形成された表面シート７６が設けられている。
【００８０】
前記生理用ナプキン７０は、前記補助部材４０の前記装着布４８の上面に配置される。このとき、前記生理用ナプキン７０の裏面シート７４の裏面に設けられている感圧接着剤層が、前記装着布４８の上面に接する状態で固定される。また、生理用ナプキン７０がウィング部７１を有する場合には、ウィング部７１が折り返されて、前記装着布４８と前記補助部材４０の前記表面シート４５との間の隙間に挟まれた状態で装着される。この際、ウィング部７１の裏面に設けられている感圧接着剤層が前記装着布４８の下面（図７のＹ２側の面）に接した状態で固定される。
【００８１】
図１０に示すように、この生理用ショーツ１を着用すると、脚ぐり部２５，２５は股間部６２よりも下方において大腿部６１，６１の周りに装着される。そして、前記補助部材４０は、クッション層４７，４７が設けられている部分で曲げられ、両側部４２，４２が大腿部６１，６１の内股部６１ａ，６１ａに当てられる。前記本体１０の脚ぐり部２５，２５が弾性伸縮性を有しているため、前記補助部材４０，４０の両側部４２，４２は、前記脚ぐり部２５，２５の弾性伸縮力により内股部６１ａ，６１ａに密着する。
【００８２】
前記本体１０は全体が弾性伸縮力を有する素材で形成されているが、前記補助部材４０は弾性伸縮力を発揮する前記サポート帯２９を介して固定されているため、主に前記サポート帯２９の弾性伸縮力で着用者の股間部方向へ付勢される。したがって、前記本体１０全体の弾性伸縮力を小さくしても前記補助部材４０を股間部へ密着させることが可能であり、着用者の下半身を締め付ける範囲を少なくすることができる。また、前記補助部材４０の上面に装着された生理用ナプキン７０は、着用者の股間部に密着される。
【００８３】
このとき、前記サポート帯２９の前端部２９ａはクロッチ部１８の前端である前記前方縫合部２３に位置しており、前方縫合部２３は着用者の恥骨近傍に位置する。この恥骨近傍は、身体の動きに影響されにくい部分である。また、前記サポート帯２９は後端部２９ｂに向って幅寸法が小さくなるようにテーパー状に形成されていることから、前記サポート帯２９が着用者の臀部の溝内に入り込んで密着し易い。この臀部の溝内も身体の動きに影響されにくい部分である。よって、前記サポート帯２９は着用者の身体の動きに影響されにくく、サポート帯２９に取り付けられた補助部材４０や生理用ナプキン７０が身体の動きによってずれにくくなる。
【００８４】
また、補助部材４０のクッション層４７，４７が生理用ナプキン７０の本体部と重なった状態で股間部６２に設置されるため、内股部６１ａから股間部６２にかけて補助部材４０および生理用ナプキン７０が柔らかく当たるようになり、内股部６１ａ，６１ａと股間部６２に違和感を生じさせにくい。
【００８５】
排泄された経血は、前記クッション層４７が設けられている領域が前記肉薄部５２よりもクッション層４７の厚さ分だけ高さ寸法が大きいため、前記両対向側の縁部４７ａよりも外側へは経血が流れにくく、主に前記肉薄部５２において生理用ナプキン７０に吸収される。したがって、経血の横漏れが発生しにくい。また、生理用ナプキン７０の液吸収層７５で吸収しきれなかった経血が横漏れして、内股部６１ａ，６１ａに伝わったとしても、補助部材４０の両側部４２，４２が内股部６１ａ，６１ａに密着しているため、経血は両側部４２，４２で受け止められ、好ましくは補助部材４０，４０の表面シート４５に吸収される。よって、脚ぐり部２５，２５から生理用ショーツ外部への経血の漏れを防止できる。
【００８６】
前記したように、前記補助部材４０は前記挿通部５０に前記サポート帯２９が挿通された状態で前記サポート帯２９に取り付けられている。したがって、補助部材４０はショーツ本体１０のクロッチ部１８から縦方向に装着位置を調整可能である。よって、前記生理用ショーツ１を着用したときに、補助部材４０を最適な位置に移動させて装着することができる。
【００８７】
すなわち、生理用ショーツ１および生理用ナプキン７０を着用したときに、生理用ナプキン７０から横漏れの不安を感じる場所が、体型、姿勢や運動などのそのときの生活パターンにより相違する。しかし前記補助部材４０を前記本体１０内の最適な位置に設置することで、前記横漏れの不安を解消できる。同様に、夜間の就寝中などに経血の生理用ナプキン７０からの後ろ漏れが不安な場合は、前記生理用ナプキン７０が装着された前記補助部材４０の位置を、着用者の臀部側に移動させることで前記後ろ漏れの不安を解消できる。
【００８８】
さらには、前記生理用ナプキン７０を前記サポート帯２９の上面に直接配置して前記クロッチ部１８に位置させ、一方前記補助部材４０を後ろ漏れの不安がある場所に移動して使用することもできる。このように使用すると、クロッチ部１８においては生理用ナプキン７０で経血を吸収することができるとともに、前記補助部材４０で生理用ナプキン７０から後ろ漏れした経血を止めることができるため、広範囲の漏れに対応できる。
【００８９】
さらに前記効果に加えて、経血の排泄量が少ないときは、前記フック２８の挿入腕２８ａを前記ループ３１から外して前記補助部材４０を前記サポート帯２９から取り外し、前記生理用ナプキン７０を前記サポート帯２９の上面に直接配置して前記クロッチ部１８に位置させ、着用することができる。この場合、身体の内股部６１ａ，６１ａから股間部６２、さらには臀部にかけて補助部材４０が存在しないため、違和感やムレによる不快感を生じず、快適な装着感を得られる。
【００９０】
また前記効果に加えて、補助部材４０が経血で汚れた場合は、前記補助部材４０を前記サポート帯２９から取り外して、きれいなものに交換することができ、また補助部材４０を洗濯することも可能である。
【００９１】
図１１は前記生理用ショーツ１の本体１０の内側に取り付けられる補助部材の他の例を示した断面図である。
【００９２】
図１１に示す補助部材１４０の平面から見たときの形状や、装着布４８および布４９などの構造は、前記図６および図７に示す前記補助部材４０とほぼ同じ構造であるため、同様の構造部分には前記補助部材４０と同様の符号を付してその説明を省略する。
【００９３】
図１１に示す補助部材１４０の中間部４１には肉厚部１４８が設けられている。前記肉厚部１４８では、裏面シート４６と表面シート４５との間に中央クッション層１４９が設けられている。中間部４１に肉厚部１４８を設けると、生理用ナプキンの中央部分を、前記中央クッション層１４９を介して股間部や臀部の溝内に押し付けるようにできるため、生理用ナプキンと身体との密着性が高くなって経血の漏れ防止効果を高くできる。
【００９４】
前記中央クッション層１４９は、前記クッション層４７と同様にポリウレタンフォームやポリエチレンフォームなどの連続気泡フォームなどが好ましく使用される。「連続気泡フォーム」は、フォームを構成するセルが相互に通じ合っている構造のフォームである。前記中央クッション層１４９を連続気泡フォームで構成すると、前記肉厚部１４８に透湿性を付与することができるため着用者に快適な着用感を与えることができる。また、吸水機能を有するため、生理用ナプキン７０から経血が漏れた場合でも表面シート４５および中央クッション層１４９によって前記経血を吸収保持することができる。
【００９５】
前記肉厚部１４８での補助部材１４０全体の厚さ寸法ｈ１は、５〜１５ｍｍの範囲であることが好ましい。また前記肉厚部１４８の厚さ寸法ｈ１は、両側部４２，４２の厚さ寸法と同じであってもよいし、両側部４２，４２よりも厚いものであってもよい。前記厚さ寸法ｈ１が、前記範囲未満であると着用者の股間部に生理用ナプキンを密着し難くなる。また前記範囲よりも大きいと着用者に違和感を与えることになるため、快適な着用感を得ることができない。また、生理用ナプキンの中央部分を股間部や臀部の溝内に押し付けるように機能させるため、肉厚部１４８の幅寸法Ｗ６は２０〜８０ｍｍの範囲が好ましい。前記幅寸法Ｗ６が８０ｍｍよりも大きいと、生理用ナプキンを股間部や臀部の溝内に密着させにくくなる。
【００９６】
なお、前記肉厚部１４８を補助部材１４０において前後方向に二分する中心線よりも後方のみに設け、またその幅寸法Ｗ６を５〜３０ｍｍ程度の細いものにして、前記肉厚部１４８で生理用ナプキンを肛門付近および臀部の溝内に押し付けるようにしてもよい。このように構成すると、生理用ナプキンとの後方部分と身体との密着性を高くでき、経血の後ろ洩れを防止できる。
【００９７】
なお、前記構成に代えて、両側部４２，４２に設けられている前記クッション層４７を設けずに、前記中央クッション層１４９のみが中間部４１に設けられている構成にしてもよい。
【００９８】
図１２は本発明の第２の実施の形態の生理用ショーツ２０１のクロッチ部から後身頃を内側から示す部分斜視図であり、前記図５に相当する図面である。
【００９９】
前記生理用ショーツ２０１のうち、前記第１の実施の形態の生理用ショーツ１と同様の構造部分には同じ符号を付してその説明を省略する。
【０１００】
図１２に示す生理用ショーツ２０１は、本体１０のクロッチ部１８において、股布１９の内側にナプキン装着布２２２が重ねられている。このナプキン装着布２２２は、防水性で且つ通気性であり、好ましくは、弾性伸縮自在な素材で形成されている。具体的には、身体に向けられる内面に現れている生地が、ポリエステル繊維で鹿の子のニット編みとされた生地の裏面に透湿性フィルムがラミネートされたものである。そして前記透湿性フィルムが現れている裏面に、この透湿性フィルムを保護するために、ポリエステル繊維で形成されたトリコット生地が重ねられている。そして前記２つの生地は、前記ナプキン装着布２２２の両側縁２２２ａ，２２２ａの縫合線２２２ｂ，２２２ｂにより縫合されている。
【０１０１】
なお、前記ナプキン装着布２２２に防水機能を持たせずに、前記股布１９の内側に防水布を重ね合わせ、股布１９が防水性を有するように構成してもよい。
【０１０２】
図１２に示すように、前記股布１９と前記ナプキン装着布２２２のそれぞれの前縁は、前記前身頃１３を形成する腰当て布１１，１２に対して前方縫合部２３において縫合されている。前記股布１９と前記ナプキン装着布２２２のそれぞれの後縁は、前記後身頃１４を形成する腰当て布１１，１２に対して後方縫合部２４において縫合されている。また前記前方縫合部２３と後方縫合部２４との間では、股布１９とナプキン装着布２２２が接合されていない。
【０１０３】
前記前方縫合部２３と後方縫合部２４との間では、前記股布１９の前後方向の長さ寸法よりも、前記ナプキン装着布２２２の前後方向の長さ寸法の方が若干長くなっている。よって、身体に装着したときに、前記ナプキン装着布２２２が股間部に密着しやすい構造となっている。
【０１０４】
前記ナプキン装着布２２２の両側縁２２２ａ，２２２ａ間の幅寸法は、後記する補助部材２４０の中間部４１の幅寸法よりも若干小さく形成されている。
【０１０５】
前記本体１０の内側には、前記クロッチ部１８の前端部に位置する前記前方縫合部２３を始端とし、前記後身頃に位置する前記ウエストバンド１７の下縁部に向って延びるサポート帯２２９が設けられている。前記サポート帯２２９は、クロッチ部１８においては、前記股布１９と前記ナプキン装着布２２２との間に位置している。そして、前記ナプキン装着布２２２の後方部に設けられた穴２２２ｃから前記サポート帯２２９が露出し、前記ウエストバンド１７の下縁部に向って延びている。
【０１０６】
前記サポート帯２２９の前端部２２９ａにはループ２３０が形成されている。このループ２３０は前記サポート帯の前端部を裏側へ折り返して縫合することで形成されている。そして、ループ２３０の内径部にフック２２７が取り付けられる。このフック２２７には鉤状の挿入腕２２７ａが形成されている。
【０１０７】
前記前方縫合線２３には、前記前身頃１３の前記縫合線１５ａの位置において、例えば前記サポート帯２２９と同じ素材から形成された布片を２枚折りして接合線２３０ａで縫合することによってループ２３０が形成されている。このループ２３０は、前記股布１９と前記ナプキン装着布２２２との間に挟まれた位置に設けられている。
【０１０８】
前記サポート帯２２９の前端部２２９ａは、前記フック２２７の前記挿入腕２２７ａが前記ループ２３０の内径部に挿入されることによって着脱自在に係止され、前記挿入腕２２７ａと前記ループ２３０とで前接合部が形成されている。
【０１０９】
ウエストバンド１７の下縁には、前記後身頃１４の前記縫合線１５ｂの位置において、例えば前記サポート帯２２９と同じ素材から形成された布片を２枚折りして接合線２３１ａで縫合することによってループ２３１が形成されている。
【０１１０】
前記サポート帯２２９の連結端部２２９ｃは、前記サポート帯２２９の中間部に設けられた調節部材２６０を通った後、フック２２８の取付け環部２２８ｂに表面側（身体側）から挿通されて裏面側（本体１０側）に折り返されて戻り、そして前記連結端部２２９ｃが前記調節部材２６０に固定されている。
【０１１１】
そして、前記フック２２８に設けられている挿入腕２２８ａが前記ループ２３１に着脱自在に係止されている。すなわち、サポート帯２２９の前記取付け環部２２８ｂに掛けられている部分が実質的な後端部２２９ｂとなり、この後端部２２９ｂが前記フック２２８を介して前記ループ２３１に着脱自在に掛止され、後接合部が形成されている。
【０１１２】
図１３に示すように、前記調節部材２６０は公知のものであり、前記サポート帯２２９の長さ寸法を調節するものである。前記調節部材２６０は、中心部に設けられた支持棒２６０ａにより連結された２つの挿通環２６０ｂ，２６０ｃを有しており、前記挿通環２６０ｂと前記支持棒２６０ａとで囲まれた領域に挿通穴２６０ｄが形成され、前記挿通環２６０ｃと前記支持棒２６０ａとで囲まれた領域に挿通穴２６０ｅが形成されている。
【０１１３】
前記サポート帯２２９の連結端部２２９ｃは、まず一方の前記挿通穴２６０ｄに上側から挿通された後、前記支持棒２６０ａの下側を通過し、さらに他方の挿通穴２６０ｅ内へ上向きに挿通される。その後、前記したようにフック２２８の取付け環部２２８ｂに挿通された後、再度、前記挿通穴２６０ｄに上側から挿通され、前記支持棒２６０ａを包むように折り返され、折り返された部分が縫合されている。
【０１１４】
前記調節部材２６０を前記サポート帯２２９の前後に移動させることで、前端部２２９ａと後端部２２９ｂとの長さを調節することができる。
【０１１５】
また、この実施の形態では前記サポート帯２２９の幅寸法が全長に渡って均一であり、例えば幅寸法が１０ｍｍである。サポート帯２２９を臀部の溝内に密着させるためには、前記幅寸法は５ｍｍ以上で２０ｍｍ以下であることが好ましい。
【０１１６】
前記サポート帯２２９は、縦方向（図１２におけるＹ方向）に弾性伸縮力を有している。また、前方縫合部２３から前記接合線２３１ａまでの前記サポート帯２２９の長さ寸法を、本体１０の内側の前記前方縫合部２３から前記接合線２３１ａまでの長さ寸法よりも短くしたり、同じ長さ寸法にしたり、あるいは長くするなどの調節が可能である。例えばサポート帯２２９の長さ寸法を本体１０の前記長さ寸法よりも短くすることで、前記サポート帯２２９を本体１０に取り付けた状態でショーツを着用したときに、前記サポート帯２２９を縦方向に弾性伸長させて身体に密着させることができる。また、本体１０が充分な弾性伸長性を有している場合には、前記サポート帯２２９の方を長くしておいても、着用時に本体１０が十分に伸びて、前記サポート帯２２９を身体に密着させることが可能である。前記サポート帯２２９は、ポリウレタン繊維で形成された伸縮性織布、合成ゴムシート、天然ゴムシートなどで形成されている。
【０１１７】
前記生理用ショーツ２０１においても、本体１０の内側に補助部材２４０を取り付ることが可能である。
【０１１８】
図１２に示す前記補助部材２４０と前記補助部材４０，１４０とでは、平面形状およびクッション層などの配置構造が同じであり、相違点は、前記補助部材２４０では、表面側に装着布４８が取付けられていない点だけである。したがって、図１２では、前記の補助部材４０，１４０と同じ構造の部分には同じ符号を付してその説明を省略する。
【０１１９】
次に、前記生理用ショーツ２０１の使用方法について説明する。
図１２に示すように、まずサポート帯２２９の前端部２２９ａのフック２２７を前記ループ２３０からはずして、前記サポート帯２２９の前端部２２９ａを本体１０から取り外す。
【０１２０】
次に、前記補助部材２４０を前記股布１９と前記ナプキン装着布２２２との間の隙間内に配置する。そして、前記補助部材２４０に設けられた挿通部５０に前記サポート帯２２９の前端部２２９ａを挿通して、前記フック２２７を前記ループ２３０に係止する。
【０１２１】
そして、生理用ナプキン７０を前記ナプキン装着布２２２の上面に配置する。このとき、前記生理用ナプキン７０の裏面シート７４の裏面に設けられている感圧接着剤層が、前記ナプキン装着布２２２の上面に接する状態で固定される。また、生理用ナプキンがウィング部７１を有する場合には、ウィング部７１が折り返されて、前記ナプキン装着布２２２と前記股布１９との間の隙間に挟まれた状態で装着される。この際、ウィング部７１の裏面に設けられている感圧接着剤層が前記ナプキン装着布２２２の下面に接した状態で固定される。
【０１２２】
前記生理用ショーツ２０１では、前記補助部材２４０が前記クロッチ部１８において、股布１９とナプキン装着布２２２との間に装着される。また、前記補助部材２４０の中間部４１の幅寸法が前記ナプキン装着布２２２の幅寸法よりも若干大きいため、前記補助部材２４０に設けられた前方突部４２ａおよび後方突部４２ｂが前記ナプキン装着布２２２の両側縁２２２ａ，２２２ａから突出し、この前方突部４２ａと後方突部４２ｂの存在により、クロッチ部１８において補助部材２４０が横方向へずれるのを防止できる。
【０１２３】
前記サポート帯２２９は、前記調節部材２６０によって長さ寸法を調節できる。したがって、着用者の体型、姿勢、動作、排泄液量あるいは吸収性物品の種類などに応じて吸収性物品の身体に対する密着力を任意に変化させることができるため、快適な使用感と排泄液の漏れ防止との両立を図ることが可能である。
【０１２４】
なお、夜間の就寝中などに、経血の後ろ漏れが不安な場合には、前記補助部材を前記クロッチ部１８から取り外し、生理用ナプキン７０をナプキン装着布２２２に装着した状態で、前記ナプキン装着布２２２よりも後方において後身頃１４に配置することも可能である。
【０１２５】
また、経血の漏れの不安が少ない場合には、前記補助部材２４０を前記サポート帯２２９から取り外して、生理用ナプキン７０のみを前記クロッチ部１８に配置させた状態で着用することもできる。このとき、前記サポート帯２２９は前接合部および後接合部が着脱自在であるため、サポート帯２２９を本体１０から取り外すことができる。このように使用すると、前記補助部材２４０による違和感やムレによる不快感を生じず、さらには前記サポート帯２２９も本体１０の内側に存在しないため、快適な装着感を得られる。
【０１２６】
以上本発明の実施の形態を生理用ショーツを例にして説明したが、図１に示した前記生理用ショーツ１のサポート帯２９においても、図１２に示す生理用ショーツ２０１のサポート帯２２９と同様の調節部材が設けられて、長さ寸法を調節できる構造としても良い。
【０１２７】
また、前記本体１０の後身頃１４の途中部分に、布などで形成されたループ部材を設け、前記サポート帯２９，２２９の途中部分を前記ループ部材内に挿通させてもよい。このように構成すると、後身頃１４においてサポート帯２９，２２９が横方向へ大きく動くのを防止できる。
【０１２８】
また前記サポート帯の前端部や後端部を、面ファスナー、釦、ホックなどを介して本体に着脱自在に取付けてもよい。
【０１２９】
また前記本体１０の構造としては、脚ぐり部２５，２５が膝上まで延びるスパッツタイプや、脚ぐり部２５，２５の下に足首の位置まで延びるレッグ部が延長しているものであってもよい。またレッグ部の先部にフート部が一体に形成されたパンティストッキングやタイツのような構造であってもよい。
【０１３０】
【発明の効果】
以上のように本発明の外装体では、下半身の締め付けを少なくでき、補助部材を介して生理用ナプキンなどの吸収性物品を着用者の股間部へ確実に密着させることができる。
【図面の簡単な説明】
【図１】本発明の第１の実施の形態の生理用ショーツを二つ折りにした状態を示す正面図、
【図２】生理用ショーツを二つ折りにした状態を示す背面図、
【図３】前記生理用ショーツを着用状態の立体形状としたときの正面斜視図、
【図４】同じく立体形状としたときの背面斜視図、
【図５】本体の内側をクロッチ部から後身頃にかけて示す部分斜視図、
【図６】補助部材を示す斜視図、
【図７】図６のＶＩＩ−ＶＩＩ線の断面図、
【図８】補助部材を本体の内側に設けられたサポート帯に取り付ける方法を補助部材の裏面を上向きにして示した斜視図、
【図９】補助部材を本体に取り付けた状態のショーツの内側を示した展開平面図、
【図１０】身体に装着した状態のショーツ本体、補助部材および生理用ナプキンの変形状態を示す断面図、
【図１１】補助部材の他の例を示す断面図、
【図１２】本発明の第２の実施の形態の生理用ショーツの本体の内側を、クロッチ部から後身頃にかけて生理用ナプキンとともに示す部分斜視図、
【図１３】調節部材を示す斜視図、
【符号の説明】
１，２０１  生理用ショーツ
１０  本体
１１，１２  腰当て布
１３  前身頃
１４  後身頃
１５ａ，１５ｂ  縫合線
１６  腰天
１７  ウエストバンド
１８  クロッチ部
１９  股布
２３  前方縫合部
２４  後方縫合部
２５  脚ぐり部
２９，２２９  サポート帯
２９ａ，２２９ａ  前端部
２９ｂ，２２９ｂ  後端部
２８，２２７，２２８  フック
２８ａ，２２７ａ，２２８ａ  挿入腕
３０，３１，２３０，２３１  ループ
４０，１４０，２４０  補助部材
４１  中間部
４２  側部
４５  表面シート
４６  裏面シート
４８  装着布
４８ａ  前縁
４８ｂ  後縁
４８ｃ、４８ｄ  側縁
４９  布
５０  挿通部
５１  ずれ止め部
５２  肉薄部
７０  生理用ナプキン
１４８  肉厚部
２２２  ナプキン装着布
２６０  調節部材
【図１】
0003830418.tif 000002
【図２】
0003830418.tif 000003
【図３】
0003830418.tif 000004
【図４】
0003830418.tif 000005
【図５】
0003830418.tif 000006
【図６】
0003830418.tif 000007
【図７】
0003830418.tif 000008
【図８】
0003830418.tif 000009
【図９】
0003830418.tif 000010
【図１０】
0003830418.tif 000011
【図１１】
0003830418.tif 000012
【図１２】
0003830418.tif 000013
【図１３】
0003830418.tif 000014